(57)【要約】      （修正有）【課題】シャワーヘッド本体に流量を表示する手段を設け、使用中の流量を確認することができるシャワーヘッドを提供する。【解決手段】握り部２には、流量表示計１０が取付けられている。流量表示計１０は、一端が開口されるとともに他端が閉塞されたチューブ形状の検出室１１を備えており、この検出室１１の上記開口端１２は流路４に開口されている。したがって、水道水が流路４を流れると、水の一部が検出室１１に浸入する。そして、この検出室１１には所定量の空気が貯えられており、空気溜り１３を成している。空気溜り１３には、上記開口端１２より検出室１１に浸入した水のレベルに追従して移動可能な表示子１４が収容されている。この表示子１４は水面の移動に連動するフロートであることが望ましい。【選択図】図１
0003180103.tif 000002
【実用新案登録請求の範囲】
【請求項１】
シャワーヘッド本体にこの本体内の流路を流れる水の量を表示する流量表示手段を設けたことを特徴とするシャワーヘッド。
【請求項２】
上記流量表示手段は、流路内の流量に応じて変化する圧力の変動を表示子の移動に変換し、この表示子の移動位置を視認して流量を知ることができるようにしたことを特徴とする請求項１に記載のシャワーヘッド。
【請求項３】
上記流量表示手段は、一端がシャワーヘッド本体の流路に連通するとともに他端が閉止して空気溜りを備えた検出室を備え、この検出室に上記流路より導入した水量に応じて移動する表示子を収容し、この表示子の位置が外から見えるようにしてなる流量計を設けたことを特徴とする請求項２に記載のシャワーヘッド。
【請求項４】
上記検出室はチューブ形状であることを特徴とする請求項３に記載のシャワーヘッド。
【考案の詳細な説明】
【技術分野】
【０００１】  本考案は、浴室や洗面化粧台等に設けられて身体や頭髪等を洗うシャワーヘッドに関する。
【背景技術】
【０００２】  一般家庭や浴場、温泉、ホテルのバスルーム、または朝シャン用洗面化粧台などに設置されているシャワーヘッドは、シャワーホースを介して混合水栓に接続されていて、使用者がヘッド先端の散水部より放出される水の量、すなわち流量を調節したい場合は、混合水栓の調節レバーを操作することにより調節するようになっている。
流量を調節する場合、従来は、調節レバーを目分量の見当でまわしておいて、噴射水が身体に衝突するときの感触を確かめ、その感触にもとづき調節レバーを再操作して流量を調節していた。
【先行技術文献】
【特許文献】
【０００３】
【考案の概要】
【考案が解決しようとする課題】
【０００４】  しかしながら、このような手段では、厳密な意味で希望する流量に合わせることが難しかった。
また、最近、水道水やガス料金の節約のため、節水機能のついたシャワーヘッドを使う人が多くなってきた。しかしながら、節水形シャワーヘッドを使っても、流量が判らないので実際に節水しているかどうか実感し難い。【０００５】    この考案の目的は、シャワーヘッド本体に流量を表示する手段を設け、この流量表示手段で表示される流量を見て、使用中の流量を確認することができるシャワーヘッドを提供しようとするものである。
【課題を解決するための手段】
【０００６】  請求項１の考案は、シャワーヘッド本体にこの本体内の流路を流れる水の量を表示する流量表示手段を設けたことを特徴とするシャワーヘッドが提供される。
請求項２の考案は、上記流量表示手段は、流路内の流量に応じて変化する圧力の変動を表示子の移動に変換し、この表示子の移動位置を視認して流量を知ることができるようにしたことを特徴とするシャワーヘッドが提供される。
請求項３の考案は、上記流量表示手段は、一端がシャワーヘッド本体の流路に連通するとともに他端が閉止して空気溜りを備えた検出室を備え、この検出室に上記流路より導入した水量に応じて移動する表示子を収容し、この表示子の位置が外から見えるようにしてなる流量計を設けたことを特徴とするシャワーヘッドが提供される。
請求項４の考案は、上記検出室がチューブ形状であることを特徴とするシャワーヘッドが提供される。
【考案の効果】
【０００７】  請求項１の考案によれば、シャワーヘッドに流量表示手段を設けたので、シャワー使用中に流量を素早くかつ確実に知ることができ、節水状況の確認、すなわち節水メータとしての使用や、希望する流量の選択調節が容易になる。
請求項２の考案によれば、流量表示手段が、流量の変化を圧力変化に変え、この圧力変化で表示子を移動させ、この表示子の移動を読み取って流量を知るようにしたので、流量を測る手段として流量に応じて回転数が変わる回転羽根などのような機械的手段に比べて構造が簡単である。
請求項３の考案によれば、流路を流れる水の量が増えると検出室に入り込む水の量も増し、これにより空気溜りの空気が圧縮されて体積が減少し、この結果表示子の移動距離が増えるので、この表示子の位置を見れば流量を知ることができる。このような構造は、一端が閉塞された検出室を流路に連結することにより構成できるので、構造がすこぶる簡単である。
請求項４の考案によれば、検出室がチューブ形状となっているので、流量変化に応じて移動する表示子の移動量を大きくすることができ、表示精度を高めることができる。
【図面の簡単な説明】
【０００８】
【図１】  考案の第１の実施例を示し、シャワーヘッドの断面図
【０００９】
【実施例１】
【００１０】    以下、本考案について実施例１を図１にもとづき説明する。
図１に示すシャワーヘッド本体１は合成樹脂にて形成されており、管状の握り部２とヘッド部３を一体に有している。握り部２の内部には流路４が貫通して形成されており、この流路４の上流側入口には連結金具５を介してシャワーホース６が連結されている。なお、ホース６の根元は図示しない混合水栓に接続されている。
また、流路４の下流はヘッド部３に形成した広がり室に連なっており、この広がり室の開放端、つまり出口には多数の散水孔（図示しない）を備えた散水板７が取付けられている。【００１１】  上記握り部２には、流量表示計１０が取付けられている。流量表示計１０は、一端が開口されるとともに他端が閉塞されたチューブ形状の検出室１１を備えており、この検出室１１の上記開口端１２は流路４に開口されている。したがって、水道水が流路４を流れると、水の一部が検出室１１に浸入する。そして、この検出室１１には所定量の空気が貯えられており、空気溜り１３を成している。空気溜り１３には、上記開口端１２より検出室１１に浸入した水のレベルに追従して移動可能な表示子１４が収容されている。この表示子１４は水面の移動に連動するフロートであることが望ましい。
上記検出室１１は、壁を透明にすることで外から表示子１４を視認することができるようになっているとともに、流量単位の目盛１５を設けてある。【００１２】  このような構成のシャワーヘッドにおいては、混合水栓（図示しない）のレバーを操作してこの水栓を開けると、水またはお湯がシャワーホース６を通じてシャワーヘッド本体１に供給され、この水又はお湯は流路４を通り、ヘッド部３の散水板７より噴出される。
水又はお湯が通路４を通るとき、その一部が開口端１２を通じて検出室１１に入り込む。水が検出室１１に入り込むと空気溜り１３の空気が押され、空気は圧縮性流体であるので水圧に応じて体積を縮小する。つまり、検出室１１に作用する水圧に応動してフロート形の表示子１４が移動する。
流路４を流れる水の量が多くなると水圧が高くなるので、検出室１１に入る水の量が増え、空気が圧縮され、これに応じて表示子１４の移動量が大きくなる。このため、シャワーヘッドを流れる流量に応じて表示子１４が移動するので、表示子１４の位置を目盛１５で読み取れば、使用中の流量を知ることができる。
そして、検出室１１がチューブ形状となっているから、流量変化に応じて移動する表示子１４の移動ストロークを大きくすることができ、すなわち少ない流量変化であっても表示子１４が大きく移動し、表示精度を高くすることができる。【００１３】  このため、シャワーを使用中に使用流量を知ることができるので、水栓の調節レバーを操作することにより所望する流量の調節が容易に行えるとともに、所望の流量に合わせ易くなる。
また、節水形シャワーヘッドの場合は、流量を目盛で知ることができるので、節水しているか否かをはっきりと知ることができる。【００１４】  なお、上記実施例では、流量表示手段として、一端が流路４に開口するとともに他端が閉塞された検出室１１を設け、この検出室１１に空気溜り１３を設けるとともに浸入した水のレベルに追従して移動可能な表示子１４を設けて構成したが、本考案は、静水圧と全水圧の差を利用したピトー管またはそれに類した構造によって圧力変化を流量変化に変える手段や、または流路の断面積の変化を利用した圧力差により流量を測定するベンチュリー管またはそれに類した構造を採用することで、流路内の流量に応じて変化する圧力の変動を表示子の移動に変換し、この表示子の移動を視認して流量を表示するような手段を用いてもよい。
【産業上の利用可能性】
【００１５】  以上説明した通り本考案によれば、シャワーヘッドに流量表示手段を設けたので使用中の流量を容易に知ることができ、流量を変えたい場合や、節水具合を知る場合などに便利になる。
【符号の説明】
【００１６】  １…シャワーヘッド本体
２…握り部
３…ヘッド部
４…流路
１０…流量表示計
１１…検出室
１２…開口端
１３…空気溜り
１４…表示子
１５…目盛
【図１】
0003180103.tif 000003